(57)【要約】  本開示の態様は、動的なユーザ機器機能報告のための装置および方法を提供する。ユーザ機器(UE)は、第1の通信プロトコルと第2の通信プロトコルとを含む複数の通信プロトコルを利用してネットワークと通信するように構成される。UEは、第2の通信プロトコルの達成可能な最大スループットよりも低い達成可能な最大スループットを有する第1の通信プロトコルを利用してネットワークと通信し、UEは、第1の通信プロトコルまたは第2の通信プロトコルを利用してある量のデータを転送する電力効率を考慮して、第2の通信プロトコルを利用してデータを転送するUEの機能を動的に報告する。
2016525300.tif 000002
【特許請求の範囲】
【請求項１】
ユーザ機器(UE)において動作可能なワイヤレス通信の方法であって、
第2の通信プロトコルの達成可能な最大スループットよりも低い達成可能な最大スループットを有する第1の通信プロトコルを利用してネットワークと通信するステップと、
前記第1の通信プロトコルまたは前記第2の通信プロトコルを利用してある量のデータを転送するエネルギー効率を考慮して、前記第2の通信プロトコルを利用してデータを転送する前記UEの機能を動的に報告するステップと
を含む方法。
【請求項２】
前記UEの前記機能を動的に報告するステップが、
前記エネルギー効率が所定のしきい値以上である場合、前記第2の通信プロトコルにおいてデータを転送する前記UEの前記機能を報告するステップと、
前記エネルギー効率が前記所定のしきい値未満である場合、前記第1の通信プロトコルにおいてデータを転送する前記UEの前記機能を報告するステップと
を含む、請求項1に記載の方法。
【請求項３】
前記UEの前記機能を動的に報告するステップが、前記第1の通信プロトコルまたは前記第2の通信プロトコルにおいてデータを転送するように前記UEを構成するための構成オーバーヘッドを考慮するステップを含む、請求項1に記載の方法。
【請求項４】
前記構成オーバーヘッドが、
前記第1の通信プロトコルまたは前記第2の通信プロトコルにおいてデータを転送するための前記UEの回路を構成するステップ
を含む、請求項3に記載の方法。
【請求項５】
前記構成オーバーヘッドが、
前記第1の通信プロトコルまたは前記第2の通信プロトコルにおいてデータを転送するための1つまたは複数の通信チャネルを構成または構成解除するステップ
を含む、請求項3に記載の方法。
【請求項６】
前記UEの前記機能を動的に報告するステップが、アップリンクデータまたはダウンリンクデータの1つまたは複数の特性を解析するステップを含む、請求項1に記載の方法。
【請求項７】
前記データの前記1つまたは複数の特性が、所定の時間期間におけるある量の前記アップリンクデータまたは前記ダウンリンクデータを含む、請求項6に記載の方法。
【請求項８】
前記データの前記1つまたは複数の特性が、前記アップリンクデータまたは前記ダウンリンクデータの優先度を含む、請求項6に記載の方法。
【請求項９】
前記データの前記1つまたは複数の特性が、前記アップリンクデータまたは前記ダウンリンクデータのデータタイプまたはサービス品質要件を含む、請求項6に記載の方法。
【請求項１０】
前記第1の通信プロトコルがUMTSリリース99プロトコルを含み、前記第2の通信プロトコルがHSDPA、HSUPA、HSPA、HSPA+、EUL、またはLTEプロトコルのうちの少なくとも1つを含む、請求項1に記載の方法。
【請求項１１】
ワイヤレス通信のための装置であって、
第2の通信プロトコルの達成可能な最大スループットよりも低い達成可能な最大スループットを有する第1の通信プロトコルを利用してネットワークと通信するための手段と、
前記第1の通信プロトコルまたは前記第2の通信プロトコルを利用してある量のデータを転送するエネルギー効率を考慮して、前記第2の通信プロトコルを利用してデータを転送する前記装置の機能を動的に報告するための手段と
を備える装置。
【請求項１２】
前記装置の前記機能を前記動的に報告するための手段が、
前記エネルギー効率が所定のしきい値以上である場合、前記第2の通信プロトコルにおいてデータを転送する前記装置の前記機能を報告し、
前記エネルギー効率が前記所定のしきい値未満である場合、前記第1の通信プロトコルにおいてデータを転送する前記装置の前記機能を報告する
ように構成される、請求項11に記載の装置。
【請求項１３】
前記装置の前記機能を前記動的に報告するための手段が、前記第1の通信プロトコルまたは前記第2の通信プロトコルにおいてデータを転送するように前記装置を構成するための構成オーバーヘッドを考慮するように構成される、請求項11に記載の装置。
【請求項１４】
前記構成オーバーヘッドが、
前記第1の通信プロトコルまたは前記第2の通信プロトコルにおいてデータを転送する前記装置の回路を構成するステップ
を含む、請求項13に記載の装置。
【請求項１５】
前記構成オーバーヘッドが、
前記第1の通信プロトコルまたは前記第2の通信プロトコルにおいてデータを転送するための1つまたは複数の通信チャネルを構成または構成解除するステップ
を含む、請求項13に記載の装置。
【請求項１６】
前記装置の前記機能を前記動的に報告するための手段が、アップリンクデータまたはダウンリンクデータの1つまたは複数の特性を解析するように構成される、請求項11に記載の装置。
【請求項１７】
前記データの前記1つまたは複数の特性が、所定の時間期間におけるある量の前記アップリンクデータまたは前記ダウンリンクデータを含む、請求項16に記載の装置。
【請求項１８】
前記データの前記1つまたは複数の特性が、前記アップリンクデータまたは前記ダウンリンクデータの優先度を含む、請求項16に記載の装置。
【請求項１９】
前記データの前記1つまたは複数の特性が、前記アップリンクデータまたは前記ダウンリンクデータのデータタイプまたはサービス品質要件を含む、請求項16に記載の装置。
【請求項２０】
前記第1の通信プロトコルがUMTSリリース99プロトコルを含み、前記第2の通信プロトコルがHSDPA、HSUPA、HSPA、HSPA+、EUL、またはLTEプロトコルのうちの少なくとも1つを含む、請求項11に記載の装置。
【請求項２１】
コンピュータ可読記憶媒体であって、
ユーザ機器(UE)に、
第2の通信プロトコルの達成可能な最大スループットよりも低い達成可能な最大スループットを有する第1の通信プロトコルを利用してネットワークと通信させ、
前記第1の通信プロトコルまたは前記第2の通信プロトコルを利用してある量のデータを転送するエネルギー効率を考慮して、前記第2の通信プロトコルを利用してデータを転送する前記UEの機能を動的に報告させる
ためのコードを含む、コンピュータ可読記憶媒体。
【請求項２２】
前記UEの前記機能を動的に報告するために、前記コードがさらに前記UEに、
前記エネルギー効率が所定のしきい値以上である場合、前記第2の通信プロトコルにおいてデータを転送する前記UEの前記機能を報告させ、
前記エネルギー効率が前記所定のしきい値未満である場合、前記第1の通信プロトコルにおいてデータを転送する前記UEの前記機能を報告させる、
請求項21に記載のコンピュータ可読記憶媒体。
【請求項２３】
前記UEの前記機能を動的に報告するために、前記コードがさらに前記UEに、前記第1の通信プロトコルまたは前記第2の通信プロトコルにおいてデータを転送するように前記UEを構成するための構成オーバーヘッドを考慮させる、請求項21に記載のコンピュータ可読記憶媒体。
【請求項２４】
前記構成オーバーヘッドが、
前記第1の通信プロトコルまたは前記第2の通信プロトコルにおいてデータを転送するための前記UEの回路を構成するステップ
を含む、請求項23に記載のコンピュータ可読記憶媒体。
【請求項２５】
前記構成オーバーヘッドが、
前記第1の通信プロトコルまたは前記第2の通信プロトコルにおいてデータを転送するための1つまたは複数の通信チャネルを構成または構成解除するステップ
を含む、請求項23に記載のコンピュータ可読記憶媒体。
【請求項２６】
前記UEの前記機能を動的に報告するために、前記コードがさらに前記UEに、アップリンクデータまたはダウンリンクデータの1つまたは複数の特性を解析させる、請求項21に記載のコンピュータ可読記憶媒体。
【請求項２７】
前記データの前記1つまたは複数の特性が、所定の時間期間におけるある量の前記アップリンクデータまたは前記ダウンリンクデータを含む、請求項26に記載のコンピュータ可読記憶媒体。
【請求項２８】
前記データの前記1つまたは複数の特性が、前記アップリンクデータまたは前記ダウンリンクデータの優先度を含む、請求項26に記載のコンピュータ可読記憶媒体。
【請求項２９】
前記データの前記1つまたは複数の特性が、前記アップリンクデータまたは前記ダウンリンクデータのデータタイプまたはサービス品質要件を含む、請求項26に記載のコンピュータ可読記憶媒体。
【請求項３０】
前記第1の通信プロトコルがUMTSリリース99プロトコルを含み、前記第2の通信プロトコルがHSDPA、HSUPA、HSPA、HSPA+、EUL、またはLTEプロトコルのうちの少なくとも1つを含む、請求項21に記載のコンピュータ可読記憶媒体。
【請求項３１】
ワイヤレス通信のための装置であって、
少なくとも1つのプロセッサと、
前記少なくとも1つのプロセッサに結合された通信インターフェースと、
前記少なくとも1つのプロセッサに結合されたメモリとを備え、
前記少なくとも1つのプロセッサが、
第2の通信プロトコルの達成可能な最大スループットよりも低い達成可能な最大スループットを有する第1の通信プロトコルを利用してネットワークと通信するように構成された第1の回路と、
前記第1の通信プロトコルまたは前記第2の通信プロトコルを利用してある量のデータを転送するエネルギー効率を考慮して、前記第2の通信プロトコルを利用してデータを転送する前記装置の機能を動的に報告するように構成された第2の回路と
を備える、装置。
【請求項３２】
前記第2の回路が、
前記エネルギー効率が所定のしきい値以上である場合、前記第2の通信プロトコルにおいてデータを転送する前記装置の前記機能を報告し、
前記エネルギー効率が前記所定のしきい値未満である場合、前記第1の通信プロトコルにおいてデータを転送する前記装置の前記機能を報告する
ようにさらに構成される、請求項31に記載の装置。
【請求項３３】
前記第2の回路が、前記第1の通信プロトコルまたは前記第2の通信プロトコルにおいてデータを転送するように前記装置を構成するための構成オーバーヘッドを考慮するようにさらに構成される、請求項31に記載の装置。
【請求項３４】
前記構成オーバーヘッドが、
前記第1の通信プロトコルまたは前記第2の通信プロトコルにおいてデータを転送する前記装置の回路を構成するステップ
を含む、請求項33に記載の装置。
【請求項３５】
前記構成オーバーヘッドが、
前記第1の通信プロトコルまたは前記第2の通信プロトコルにおいてデータを転送するための1つまたは複数の通信チャネルを構成または構成解除するステップ
を含む、請求項33に記載の装置。
【請求項３６】
前記装置の前記機能を動的に報告するために、前記第2の回路が、アップリンクデータまたはダウンリンクデータの1つまたは複数の特性を解析するようにさらに構成される、請求項31に記載の装置。
【請求項３７】
前記データの前記1つまたは複数の特性が、所定の時間期間におけるある量の前記アップリンクデータまたは前記ダウンリンクデータを含む、請求項36に記載の装置。
【請求項３８】
前記データの前記1つまたは複数の特性が、前記アップリンクデータまたは前記ダウンリンクデータの優先度を含む、請求項36に記載の装置。
【請求項３９】
前記データの前記1つまたは複数の特性が、前記アップリンクデータまたは前記ダウンリンクデータのデータタイプまたはサービス品質要件を含む、請求項36に記載の装置。
【請求項４０】
前記第1の通信プロトコルがUMTSリリース99プロトコルを含み、前記第2の通信プロトコルがHSDPA、HSUPA、HSPA、HSPA+、EUL、またはLTEプロトコルのうちの少なくとも1つを含む、請求項31に記載の装置。
【発明の詳細な説明】
【技術分野】
【０００１】
関連出願の相互参照
本出願は、その内容全体が参照により本明細書に組み込まれる、2013年6月25日に米国特許庁に出願された仮特許出願第61/839,228号および2014年2月4日に米国特許庁に出願された非仮特許出願第14/172,777号の優先権および利益を主張する。
【０００２】
本開示の態様は一般にワイヤレス通信システムに関し、より詳細には、ワイヤレス通信システムにおけるユーザ機器機能報告に関する。
【背景技術】
【０００３】
電話、ビデオ、データ、メッセージング、ブロードキャスト、ビデオ電話などの様々な通信サービスを提供するために、ワイヤレス通信ネットワークが広範囲に展開されている。そのようなネットワークは、通常、多元接続ネットワークであり、利用可能なネットワークリソースを共有することによって、複数のユーザ向けの通信をサポートする。そのようなネットワークの一例は、UMTS地上波無線アクセスネットワーク(UTRAN)である。UTRANは、第3世代パートナーシッププロジェクト(3GPP)によってサポートされる第3世代(3G)モバイルフォン技術である、Universal Mobile Telecommunications System(UMTS)の一部として定義される無線アクセスネットワーク(RAN)である。UMTSは、Global System for Mobile Communications(GSM(登録商標))技術の後継であり、広帯域符号分割多元接続(W-CDMA)、時分割符号分割多元接続(TD-CDMA)、および時分割同期符号分割多元接続(TD-SCDMA)などの様々なエアインターフェース規格を現在サポートしている。UMTSは、関連するUMTSネットワークへのデータ転送の速度および容量を向上させる、高速ダウンリンクパケットアクセス(HSDPA)、拡張アップリンク(EUL)としても知られる高速アップリンクパケットアクセス(HSUPA)、および高速パケットアクセス(HSPA)などの拡張型3Gデータ通信プロトコルもサポートする。
【０００４】
新生の電気通信規格の一例は、3GPPによって公表されたUMTSモバイル規格の拡張のセットであるロングタームエボリューション(LTE)である。LTEは、スペクトル効率を改善することによってモバイルブロードバンドインターネットアクセスをより良くサポートすること、コストを下げること、サービスを改善すること、新しいスペクトルを利用すること、ならびに、ダウンリンク(DL)上の直交周波数分割多元接続(OFDMA)、アップリンク(UL)上のシングルキャリアFDMA(SC-FDMA)、および多入力多出力(MIMO)アンテナ技術を使用して、他のオープン規格とより良く統合することを行うように設計されている。
【０００５】
HSPAおよびLTEなどの拡張データ通信機能を有するユーザ機器(UE)は通常、拡張機能が利用可能であるかまたはサポートされているときはいつでも、その拡張機能または最良の機能をネットワークに報告する。しかしながら、UEは一般に、UEがその拡張機能を使用してネットワークとデータを交換するときにより多くの電力を消費し、異なる通信プロトコル間でUEを切り替えることは、UEのエネルギー効率を下げる可能性がある構成オーバーヘッドを伴う。
【先行技術文献】
【非特許文献】
【０００６】
【非特許文献１】3GPP技術仕様書25.331
【発明の概要】
【課題を解決するための手段】
【０００７】
以下で、本開示の1つまたは複数の態様の基本的理解を与えるために、そのような態様の簡略化された概要を提示する。この概要は、本開示のすべての考えられる特徴の包括的な概観ではなく、本開示のすべての態様の主要または重要な要素を特定するものでも、本開示のいずれかまたはすべての態様の範囲を定めるものでもない。その唯一の目的は、後で提示するより詳細な説明の導入として、本開示の1つまたは複数の態様のいくつかの概念を簡略化された形で提示することである。
【０００８】
本開示の態様は、データアクティビティに基づいた、第1の通信プロトコルまたは第2の通信プロトコルにおける動的なユーザ機器機能報告のための装置および方法を提供する。本開示のいくつかの態様では、第1の通信プロトコルはUMTSリリース99プロトコルであってもよく、第2の通信プロトコルはHSDPA、HSUPA、HSPA、HSPA+、EUL、またはLTEプロトコルであってもよい。
【０００９】
一態様では、本開示は、ユーザ機器(UE)において動作可能なワイヤレス通信の方法を提供する。UEは、第2の通信プロトコルの達成可能な最大スループットよりも低い達成可能な最大スループットを有する第1の通信プロトコルを利用してネットワークと通信する。さらに、UEは、第1の通信プロトコルまたは第2の通信プロトコルを利用してある量のデータを転送するエネルギー効率を考慮して、第2の通信プロトコルを利用してデータを転送する機能を動的に報告する。
【００１０】
本開示の別の態様は、ワイヤレス通信のための装置を提供する。装置は、第2の通信プロトコルの達成可能な最大スループットよりも低い達成可能な最大スループットを有する第1の通信プロトコルを利用してネットワークと通信するための手段を含む。装置は、第1の通信プロトコルまたは第2の通信プロトコルを利用してある量のデータを転送するエネルギー効率を考慮して、第2の通信プロトコルを利用してデータを転送する装置の機能を動的に報告するための手段をさらに含む。
【００１１】
本開示の別の態様は、コンピュータ可読記憶媒体を含むコンピュータプログラム製品を提供する。コンピュータ可読記憶媒体は、ユーザ機器(UE)に様々な機能を実行させるためのコードを含む。たとえば、コードは、UEに、第2の通信プロトコルの達成可能な最大スループットよりも低い達成可能な最大スループットを有する第1の通信プロトコルを利用してネットワークと通信させ、コードは、UEに、第1の通信プロトコルまたは第2の通信プロトコルを利用してある量のデータを転送するエネルギー効率を考慮して、第2の通信プロトコルを利用してデータを転送するUEの機能を動的に報告させる。
【００１２】
本開示の別の態様は、ワイヤレス通信のための装置を提供する。装置は、少なくとも1つのプロセッサと、少なくとも1つのプロセッサに結合された通信インターフェースと、少なくとも1つのプロセッサに結合されたメモリとを含む。少なくとも1つのプロセッサは、第2の通信プロトコルの達成可能な最大スループットよりも低い達成可能な最大スループットを有する第1の通信プロトコルを利用してネットワークと通信するように構成された第1の回路を含む。少なくとも1つのプロセッサは、第1の通信プロトコルまたは第2の通信プロトコルを利用してある量のデータを転送するエネルギー効率を考慮して、第2の通信プロトコルを利用してデータを転送する装置の機能を動的に報告するように構成された第2の回路をさらに含む。
【００１３】
本発明のこれらの態様および他の態様は、以下の発明を実施するための形態を検討すれば、より完全に理解されるであろう。本発明の他の態様、特徴、および実施形態は、添付の図面とともに本発明の特定の例示的な実施形態の以下の説明を検討すれば、当業者には明らかとなるであろう。本発明の特徴は、以下のいくつかの実施形態および図面に対して論じられ得るが、本発明のすべての実施形態は、本明細書で論じられる有利な特徴のうちの1つまたは複数を含み得る。言い換えれば、1つまたは複数の実施形態は、いくつかの有利な特徴を有するものとして論じられ得るが、そのような特徴のうちの1つまたは複数はまた、本明細書で論じられる本発明の様々な実施形態に従って使用され得る。同様に、例示的な実施形態はデバイスの実施形態、システムの実施形態、または方法の実施形態として以下で論じられ得るが、そのような例示的な実施形態は様々なデバイス、システム、および方法において実施され得ることを理解されたい。
【図面の簡単な説明】
【００１４】
【図１】本開示の態様による、電気通信システムの一例を概念的に示すブロック図である。
【図２】本開示の態様による、無線アクセスネットワークの一例を示す概念図である。
【図３】ユーザプレーンおよび制御プレーンの無線プロトコルアーキテクチャの一例を示す概念図である。
【図４】本開示の態様による、電気通信システムにおいてユーザ機器(UE)と通信しているノードBの一例を示す概念図である。
【図５】本開示の態様による、データの特性に基づいてそのデータ通信機能をネットワークに動的に報告するUEを示す概念メッセージフロー図である。
【図６】本開示の態様による、データの特性に基づいてデータ通信機能を動的に報告するための手順を概念的に示すフローチャートである。
【図７】本開示の態様による、UEデータ特性を解析して、UEデータ通信機能を動的に報告するための手順を概念的に示すフローチャートである。
【図８】本開示の一態様による、処理システムを採用する装置のハードウェア実装形態の一例を示す概念図である。
【図９】本開示の態様による、UEデータ通信機能を動的に報告するためのプロセッサおよびコンピュータ可読記憶媒体を示す概念図である。
【図１０】本開示の一態様による、ワイヤレス通信システムにおいてUEデータ通信機能を動的に報告する方法を示すフローチャートである。
【発明を実施するための形態】
【００１５】
添付の図面に関して以下に記載する詳細な説明は、様々な構成の説明として意図されており、本明細書で説明する概念が実施され得る唯一の構成を表すことは意図されていない。詳細な説明は、様々な概念の完全な理解をもたらす目的で、具体的な詳細を含んでいる。しかしながら、これらの概念がこれらの具体的な詳細なしに実施され得ることが、当業者には明らかであろう。場合によっては、そのような概念を曖昧にするのを回避するために、よく知られている構造および構成要素はブロック図の形態で示されている。
【００１６】
本開示の態様は、たとえば、データアクティビティ、QoS要件、データの優先度などの様々な要因に基づいた、動的なユーザ機器(UE)アクセス(データ通信)機能報告のための装置および方法を提供する。UEは、通信プロトコル間で切り替えるときの再構成オーバーヘッドを考慮して、望ましい電力効率でデータを転送するために、そのアクセス機能情報をネットワークに動的に報告する。たとえば、UMTSリリース99および拡張データ機能(たとえば、HSPAまたはLTE)でデータを通信することが可能なUEは最初に、その電力消費を低減するためにUMTSリリース99(UEの最良の機能ではない)であるその機能を報告し得る。次いで、データアクティビティの量またはデータの重要性に関して特定の条件が満たされると、UEはその拡張機能であるその機能を動的に報告し得る。この新規の機能報告手法は、利用可能なときはいつでもUEがその最良の機能を報告する一般的な手法とは異なる。
【００１７】
本開示全体にわたって提示される様々な概念は、多種多様な電気通信システム、ネットワークアーキテクチャ、および通信規格にわたって実装され得る。ここで図1を参照すると、限定ではなく例示的な例として、本開示の様々な態様は、Universal Mobile Telecommunications System(UMTS)システム100に関して示されている。UMTSネットワークは、コアネットワーク104、無線アクセスネットワーク(RAN)(たとえば、UMTS地上波無線アクセスネットワーク(UTRAN)102)、およびユーザ機器(UE)110という3つの相互作用する領域を含む。一態様では、UE110は装置100を使用して実装され得る。UTRAN102に利用可能ないくつかのオプションの中で、この例では、図示されたUTRAN102は、電話、ビデオ、データ、メッセージング、ブロードキャスト、および/または他のサービスを含む様々なワイヤレスサービスを可能にするためのW-CDMAエアインターフェースを採用し得る。UTRAN102は、無線ネットワークコントローラ(RNC)106などのそれぞれのRNCによって各々が制御される、無線ネットワークサブシステム(RNS)107などの複数のRNSを含み得る。ここで、UTRAN102は、図示されたRNC106およびRNS107に加えて、任意の数のRNC106およびRNS107を含み得る。RNC106は、とりわけ、RNS107内の無線リソースを割り当て、再構成し、解放することを担う装置である。RNC106は、任意の適切なトランスポートネットワークを使用して、直接の物理接続、仮想ネットワークなどの様々なタイプのインターフェースを介して、UTRAN102中の他のRNC(図示せず)に相互接続され得る。
【００１８】
RNS107によってカバーされる地理的領域は、いくつかのセルに分割することができ、無線トランシーバ装置が各セルにサービスする。無線トランシーバ装置は、通常、UMTS用途ではノードBと呼ばれるが、当業者によって、基地局(BS)、トランシーバ基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。明確にするために、各RNS107に3つのノードB108が示されているが、RNS107は、任意の数のワイヤレスノードBを含み得る。ノードB108は、コアネットワーク104へのワイヤレスアクセスポイントを任意の数のモバイル装置に提供する。モバイル装置の例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲーム機、または任意の他の同様の機能デバイスが含まれる。モバイル装置は、通常、UMTS用途ではユーザ機器(UE)と呼ばれるが、当業者によって、移動局(MS)、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末(AT)、モバイル端末、ワイヤレス端末、リモート端末、ハンドセット、端末、ユーザエージェント、モバイルクライアント、クライアント、または何らかの他の適切な用語で呼ばれることもある。UMTSシステムでは、UE110は、ネットワークへのユーザの加入情報を含むユニバーサル加入者識別モジュール(USIM)111をさらに含み得る。説明のために、1つのUE110がいくつかのノードB108と通信しているように示されている。順方向リンクとも呼ばれるダウンリンク(DL)は、ノードB108からUE110への通信リンクを指し、逆方向リンクとも呼ばれるアップリンク(UL)は、UE110からノードB108への通信リンクを指す。
【００１９】
コアネットワーク104は、UTRAN102などの1つまたは複数のアクセスネットワークとインターフェースすることができる。図示のように、コアネットワーク104はUMTSコアネットワークである。しかしながら、当業者が認識するように、UMTSネットワーク以外のタイプのコアネットワークへのアクセスをUEに提供するために、本開示全体にわたって提示される様々な概念を、RANまたは他の適切なアクセスネットワークにおいて実装することができる。
【００２０】
図示されたUMTSコアネットワーク104は、回線交換(CS)ドメインおよびパケット交換(PS)ドメインを含む。回線交換要素のいくつかは、モバイルサービス交換センタ(MSC)、ビジターロケーションレジスタ(VLR)、およびゲートウェイMSC(GMSC)である。パケット交換要素は、サービングGPRSサポートノード(SGSN)およびゲートウェイGPRSサポートノード(GGSN)を含む。EIR、HLR、VLR、およびAuCのようないくつかのネットワーク要素は、回線交換ドメインとパケット交換ドメインの両方によって共有され得る。
【００２１】
図示の例では、コアネットワーク104は、MSC112およびGMSC114によって回線交換サービスをサポートする。いくつかの適用例では、GMSC114は、メディアゲートウェイ(MGW)と呼ばれることがある。RNC106などの1つまたは複数のRNCが、MSC112に接続され得る。MSC112は、呼設定、呼ルーティング、およびUEモビリティ機能を制御する装置である。MSC112は、UEがMSC112のカバレージエリア内にある継続時間にわたって加入者関連情報を収容する、ビジターロケーションレジスタ(VLR)も含む。GMSC114は、UEが回線交換ネットワーク116にアクセスするためのゲートウェイを、MSC112を介して提供する。GMSC114は、特定のユーザが加入したサービスの詳細を反映するデータなどの加入者データを収容する、ホームロケーションレジスタ(HLR)115を含む。HLRは、加入者固有の認証データを収容する認証センタ(AuC)とも関連付けられている。特定のUE向けの呼が受信されると、GMSC114は、HLR115に照会してUEのロケーションを決定し、そのロケーションにサービスする特定のMSCに呼を転送する。
【００２２】
図示されたコアネットワーク104はまた、サービングGPRSサポートノード(SGSN)118およびゲートウェイGPRSサポートノード(GGSN)120を用いてパケット交換データサービスをサポートする。汎用パケット無線サービス(GPRS)は、標準の回線交換データサービスで可能な速度より速い速度でパケットデータサービスを提供するように設計されている。GGSN120は、パケットベースネットワーク122へのUTRAN102の接続を提供する。パケットベースネットワーク122は、インターネット、プライベートデータネットワーク、または何らかの他の適切なパケットベースネットワークであり得る。GGSN120の主な機能は、UE110にパケットベースネットワーク接続を提供することである。データパケットは、MSC112が回線交換ドメインにおいて実行するのと同じ機能をパケットベースドメインにおいて主に実行するSGSN118を介して、GGSN120とUE110との間で転送され得る。
【００２３】
UTRAN102は、本開示の態様に従って利用され得るRANの一例である。図2を参照すると、限定ではなく例として、UTRANアーキテクチャにおけるRAN200の簡略化された概略図が示されている。システムは、セル202、204、および206を含む複数のセルラー領域(セル)を含み、セルの各々は、1つまたは複数のセクタを含み得る。セルは、(たとえば、カバレージエリアによって)地理的に定義することができ、かつ/または、周波数、スクランブリングコードなどに従って定義することができる。すなわち、図示された地理的に定義されたセル202、204、および206は各々、たとえば、異なるスクランブリングコードを利用することによって、複数のセルにさらに分割され得る。たとえば、セル204aは、第1のスクランブリングコードを利用することができ、セル204bは、同じ地理的領域にあり同じノードB244によってサービスされる間、第2のスクランブリングコードを利用することによって区別され得る。本開示のいくつかの態様では、RAN200はLTEアクセスをサポートする発展型UMTS地上無線アクセスネットワーク(E-UTRAN)であってもよい。
【００２４】
セクタに分割されたセルでは、セル内の複数のセクタは、アンテナのグループによって形成することができ、各アンテナがセルの一部にあるUEとの通信を担う。たとえば、セル202では、アンテナグループ212、214、および216は各々、異なるセクタに対応することができる。セル204では、アンテナグループ218、220、および222は各々、異なるセクタに対応することができる。セル206では、アンテナグループ224、226、および228は各々、異なるセクタに対応することができる。
【００２５】
セル202、204、および206は、各セル202、204、または206の1つまたは複数のセクタと通信中であり得る、いくつかのUEを含み得る。たとえば、UE230および232は、ノードB242と通信していることがあり、UE234および236は、ノードB244と通信していることがあり、UE238および240は、ノードB246と通信していることがある。ここで、各ノードB242、244、および246は、それぞれのセル202、204、および206の中のすべてのUE230、232、234、236、238、および240のために、コアネットワーク104(図1参照)へのアクセスポイントを提供するように構成され得る。
【００２６】
ソースセルとの呼の間、または任意の他の時間において、UE236は、ソースセルの様々なパラメータならびに近隣セルの様々なパラメータを監視することができる。さらに、これらのパラメータの品質に応じて、UE236は、近隣セルの1つまたは複数との通信を維持することができる。この時間の間、UE236は、アクティブセット、すなわち、UE236が同時に接続されるセルのリストを維持することができる(すなわち、ダウンリンク専用物理チャネルDPCHまたはフラクショナルダウンリンク専用物理チャネルF-DPCHを現在UE236に割り当てているUTRANセルが、アクティブセットを構成し得る)。
【００２７】
UTRANエアインターフェースは、W-CDMA規格を利用するものなどの、スペクトル拡散ダイレクトシーケンス符号分割多元接続(DS-CDMA:Direct-Sequence Code Division Multiple Access)システムであり得る。スペクトル拡散DS-CDMAは、チップと呼ばれる擬似ランダムビットのシーケンスとの乗算によってユーザデータを拡散させる。UTRAN102のW-CDMAエアインターフェースは、そのようなDS-CDMA技術に基づいており、さらに周波数分割複信(FDD)を必要とする。FDDは、ノードB108とUE110との間のアップリンク(UL)およびダウンリンク(DL)に異なるキャリア周波数を使用する。DS-CDMAを利用し、時分割複信(TDD)を使用するUMTS用の別のエアインターフェースは、TD-SCDMAエアインターフェースである。本明細書で説明する様々な例は、W-CDMAエアインターフェースを指す場合があるが、基礎をなす原理は、TD-SCDMAエアインターフェースまたは任意の他の適切なエアインターフェースに等しく適用可能であることを、当業者は認識されよう。
【００２８】
高速パケットアクセス(HSPA)エアインターフェースは、ユーザに対してスループットの向上および待ち時間の低減を可能にする、UE110とUTRAN102との間の3G/W-CDMAエアインターフェースに対する一連の拡張を含む。前の規格に対する他の修正の中でも、HSPAは、ハイブリッド自動再送要求(HARQ)、共有チャネル送信、および適応変調コーディングを利用する。HSPAを定義する規格は、HSDPA(高速ダウンリンクパケットアクセス)およびHSUPA(拡張アップリンクまたはEULとも呼ばれる高速アップリンクパケットアクセス)を含む。
【００２９】
ワイヤレス電気通信システムでは、通信プロトコルアーキテクチャは、特定の用途に応じて様々な形態をとり得る。たとえば、3GPP UMTSシステムでは、シグナリングプロトコルスタックは、非アクセス層(NAS)とアクセス層(AS)とに分割される。NASは、UE110とコアネットワーク104(図1参照)との間のシグナリング用に上位レイヤを提供し、回線交換プロトコルおよびパケット交換プロトコルを含み得る。ASは、UTRAN102とUE110との間のシグナリング用に下位レイヤを提供し、ユーザプレーンおよび制御プレーンを含み得る。ここで、ユーザプレーンまたはデータプレーンはユーザトラフィックを搬送し、一方、制御プレーンは、制御情報(すなわち、シグナリング)を搬送する。
【００３０】
図3を参照すると、3つのレイヤ、すなわち、レイヤ1、レイヤ2、およびレイヤ3を有するASが示されている。レイヤ1は最下位レイヤであり、様々な物理レイヤの信号処理機能を実装する。レイヤ1は、本明細書では物理レイヤ306と呼ばれる。レイヤ2 308と呼ばれるデータリンクレイヤは、物理レイヤ306の上にあり、物理レイヤ306を介したUE110とノードB108との間のリンクを担う。
【００３１】
レイヤ3において、RRCレイヤ316は、UE110とノードB108との間の制御プレーンのシグナリングを扱う。RRCレイヤ316は、UE機能の報告、上位レイヤのメッセージのルーティング、ブロードキャスト機能およびページング機能の処理、無線ベアラの確立および構成などのための、いくつかの機能エンティティを含む。
【００３２】
図示されたエアインターフェースでは、L2レイヤ308はサブレイヤに分割される。制御プレーンでは、L2レイヤ308は、2つのサブレイヤ、すなわち、媒体アクセス制御(MAC)サブレイヤ310および無線リンク制御(RLC)サブレイヤ312を含む。ユーザプレーンでは、L2レイヤ308はさらに、パケットデータコンバージェンスプロトコル(PDCP)サブレイヤ314を含む。図示されていないが、UEは、ネットワーク側のPDNゲートウェイで終端されるネットワークレイヤ(たとえば、IPレイヤ)と、接続の他端(たとえば、遠端のUE、サーバなど)で終端されるアプリケーションレイヤとを含めて、L2レイヤ308の上にいくつかの上位レイヤを有し得る。
【００３３】
PDCPサブレイヤ314は、異なる無線ベアラと論理チャネルとの間の多重化を行う。PDCPサブレイヤ314はまた、無線送信のオーバーヘッドを低減する上位レイヤのデータパケットのヘッダ圧縮、データパケットの暗号化によるセキュリティ、および、ノードB間のUE向けのハンドオーバーサポートを実現する。
【００３４】
RLCサブレイヤ312は、一般に、(肯定応答および再送信処理がエラー訂正に使用され得る)確認型モード(AM)、非確認型モード(UM)、およびデータ転送用の透過型モードをサポートし、上位レイヤのデータパケットのセグメント化およびリアセンブリ、ならびにMACレイヤでのハイブリッド自動再送要求(HARQ)による順序の乱れた受信を補償するデータパケットの並べ替えを提供する。確認型モードでは、RNCおよびUEなどのRLCピアエンティティは、とりわけ、RLCデータPDU、RLCステータスPDU、およびRLCリセットPDUを含む、様々なRLCプロトコルデータユニット(PDU)を交換し得る。本開示では、「パケット」という用語は、RLCピアエンティティ間で交換される任意のRLC PDUを指すことがある。
【００３５】
MACサブレイヤ310は、論理チャネルとトランスポートチャネルとの間の多重化を行う。MACサブレイヤ310は、1つのセルの中の様々な無線リソース(たとえば、リソースブロック)をUEの間で割り振ることも担う。MACサブレイヤ310は、HARQ動作も担う。
【００３６】
図4は、例示的なUE450と通信している例示的なノードB410のブロック図であり、ノードB410は図1のノードB108であってもよく、UE450は図1のUE110であってもよい。ダウンリンク通信では、送信プロセッサ420は、データソース412からデータを受信し、コントローラ/プロセッサ440から制御信号を受信し得る。送信プロセッサ420は、データ信号および制御信号ならびに基準信号(たとえば、パイロット信号)のための様々な信号処理機能を提供する。たとえば、送信プロセッサ420は、誤り検出のための巡回冗長検査(CRC)コード、順方向誤り訂正(FEC)を容易にするためのコーディングおよびインターリービング、様々な変調方式(たとえば、二位相偏移変調(BPSK)、四位相偏移変調(QPSK)、M位相偏移変調(M-PSK)、M直交振幅変調(M-QAM)など)に基づいた信号コンスタレーションへのマッピング、直交可変拡散率(OVSF)による拡散、および、一連のシンボルを生成するためのスクランブリングコードとの乗算を提供し得る。チャネルプロセッサ444からのチャネル推定値は、コントローラ/プロセッサ440によって送信プロセッサ420のためのコーディング方式、変調方式、拡散方式、および/またはスクランブリング方式を判断するために使用され得る。これらのチャネル推定値は、UE450によって送信される基準信号から、またはUE450からのフィードバックから、導出され得る。送信プロセッサ420によって生成されたシンボルは、フレーム構造を作成するために、送信フレームプロセッサ430に与えられる。送信フレームプロセッサ430は、コントローラ/プロセッサ440からの情報でシンボルを多重化することによって、このフレーム構造を作成し、一連のフレームが得られる。次いで、これらのフレームは送信機432に与えられ、送信機432は、アンテナ434を通じたワイヤレス媒体によるダウンリンク送信のために、増幅、フィルタリング、およびフレームのキャリア上への変調を含む、様々な信号調整機能を提供する。アンテナ434は、たとえば、ビームステアリング双方向適応アンテナアレイまたは他の同様のビーム技術を含む、1つまたは複数のアンテナを含み得る。
【００３７】
UE450において、受信機454は、アンテナ452を通じてダウンリンク送信を受信し、その送信を処理してキャリア上に変調された情報を復元する。受信機454によって復元された情報は、受信フレームプロセッサ460に与えられ、受信フレームプロセッサ460は、各フレームをパースし、フレームからの情報をチャネルプロセッサ494に与え、データ信号、制御信号、および基準信号を受信プロセッサ470に与える。次いで、受信プロセッサ470は、ノードB410中の送信プロセッサ420によって実行される処理の逆を実行する。より詳細には、受信プロセッサ470は、シンボルを逆スクランブルおよび逆拡散し、次いで、変調方式に基づいて、ノードB410によって送信された、最も可能性の高い信号コンスタレーションポイントを求める。これらの軟判定は、チャネルプロセッサ494によって計算されるチャネル推定値に基づき得る。次いで、軟判定は、データ信号、制御信号、および基準信号を復元するために、復号されデインターリーブされる。次いで、フレームの復号に成功したかどうかを判断するために、CRCコードが検査される。次いで、復号に成功したフレームによって搬送されたデータがデータシンク472に与えられ、データシンク472は、UE450および/または様々なユーザインターフェース(たとえば、ディスプレイ)において実行されているアプリケーションを表す。復号に成功したフレームによって搬送された制御信号は、コントローラ/プロセッサ490に与えられる。受信プロセッサ470によるフレームの復号が失敗すると、コントローラ/プロセッサ490はまた、確認応答(ACK)プロトコルおよび/または否定応答(NACK)プロトコルを使用して、そうしたフレームの再送信要求をサポートし得る。
【００３８】
アップリンクでは、データソース478からのデータおよびコントローラ/プロセッサ490からの制御信号が、送信プロセッサ480に与えられる。データソース478は、UE450および様々なユーザインターフェース(たとえば、キーボード)において実行されているアプリケーションを表し得る。ノードB410によるダウンリンク送信に関して説明した機能と同様に、送信プロセッサ480は、CRCコード、FECを容易にするためのコーディングおよびインターリービング、信号コンスタレーションへのマッピング、OVSFによる拡散、ならびに、一連のシンボルを生成するためのスクランブリングを含む、様々な信号処理機能を提供する。ノードB410によって送信される基準信号から、または、ノードB410によって送信されるミッドアンブル中に含まれるフィードバックから、チャネルプロセッサ494によって導出されるチャネル推定値が、適切なコーディング方式、変調方式、拡散方式、および/またはスクランブリング方式を選択するために使用され得る。送信プロセッサ480によって生成されたシンボルは、フレーム構造を作成するために、送信フレームプロセッサ482に与えられる。送信フレームプロセッサ482は、コントローラ/プロセッサ490からの情報でシンボルを多重化することによって、このフレーム構造を作成し、一連のフレームが得られる。次いで、これらのフレームは送信機456に与えられ、送信機456は、アンテナ452を通じたワイヤレス媒体によるアップリンク送信のために、増幅、フィルタリング、およびフレームのキャリア上への変調を含む、様々な信号調整機能を提供する。
【００３９】
アップリンク送信は、UE450において受信機機能に関して説明した方式と同様の方式で、ノードB410において処理される。受信機435は、アンテナ434を通じてアップリンク送信を受信し、その送信を処理してキャリア上に変調された情報を復元する。受信機435によって復元された情報は、受信フレームプロセッサ436に与えられ、受信フレームプロセッサ436は、各フレームをパースし、フレームからの情報をチャネルプロセッサ444に与え、データ信号、制御信号、および基準信号を受信プロセッサ438に与える。受信プロセッサ438は、UE450中の送信プロセッサ480によって実行される処理の逆を実行する。次いで、復号に成功したフレームによって搬送されたデータ信号および制御信号が、データシンク439およびコントローラ/プロセッサ440にそれぞれ与えられ得る。受信プロセッサによるフレームの一部の復号が失敗すると、コントローラ/プロセッサ440はまた、確認応答(ACK)プロトコルおよび/または否定応答(NACK)プロトコルを使用して、そうしたフレームの再送信要求をサポートし得る。
【００４０】
コントローラ/プロセッサ440および490は、それぞれノードB410およびUE450における動作を指示するために使用され得る。たとえば、コントローラ/プロセッサ440および490は、タイミング、周辺インターフェース、電圧調整、電力管理、および他の制御機能を含む、様々な機能を提供し得る。メモリ442および492のコンピュータ可読記憶媒体は、それぞれ、ノードB410およびUE450のためのデータおよびソフトウェアを記憶し得る。ノードB410におけるスケジューラ/プロセッサ446は、リソースをUEに割り振り、UE用のダウンリンク送信および/またはアップリンク送信をスケジュールするために使用され得る。様々な態様では、UE450は、HSDPA、HSUPA(EUL)、HSPA、またはHSPA+などの拡張UMTSプロトコルにおいてノードB410と通信することが可能である。
【００４１】
図5は、本開示の一態様による、そのデータ通信機能をネットワーク(NW)504に動的に報告するUE502を示す概念図である。UE502は図2のUEのうちのいずれかであってもよく、ネットワーク504はRAN200であってもよい。UE502は、UMTSリリース99、HSPA、HSDPA、HSUPA、HSPA+、LTEなどのいくつかの通信プロトコルまたは規格を利用してネットワーク504とデータを通信することが可能である。本開示の様々な態様では、UEがHSPA規格、HSDPA規格、HSUPA規格、HSPA+規格、LTE規格、およびその後の任意の他の通信規格のうちのいずれか1つを利用してデータを転送することができるとき、UEは拡張データ通信機能を有する。ただし、本開示は開示したワイヤレス通信規格に限定されない。本開示の本発明の概念は、異なるデータ通信機能および最大スループットを有する、複数の通信規格をサポートすることができる任意のUEに適用され得る。
【００４２】
UE502がその拡張データ機能をネットワーク504に報告した場合、ネットワークは、データスループットの点からのより良いパフォーマンスのために拡張モードでUE502と通信するように、そのハードウェアリソースおよび/またはソフトウェアリソースを構成する。たとえば、UE502は、拡張モードでより高いデータスループットを達成するために、HSPA規格における拡張専用チャネル(E-DCH)を利用し得る。UE502およびネットワーク504は拡張機能を使用してより迅速にデータを交換することができるが、データスループットの改善は、転送されるデータの合計量が適度に小さい(たとえば、500ビット未満、500キロビット未満、または任意の所望の値)ときは特に、UEのエネルギー効率を低下させる可能性がある。一例では、UE502は最初に、第1の通信チャネル(たとえば、専用トランスポートチャネル(DCH)または順方向アクセスチャネル(FCH))において第1の通信プロトコル(たとえば、UMTSリリース99)を利用してネットワーク504とのデータを転送し得る(ブロック506)。この場合、第1の通信プロトコルはUEの最良のデータ機能ではないが、UEは第1の通信プロトコルを使用して転送された少量のデータに対してより良いエネルギー効率を有し得る。
【００４３】
UE502は、エネルギー効率とデータスループットの所望のバランスを達成するためにどの通信プロトコル(たとえば、UMTSリリース99またはHSPA)が利用されるべきかをUE502が判断し得るように、受信されたデータ(たとえば、ダウンリンクデータ)および/または送信されるべきデータ(たとえば、アップリンクデータ)のデータ特性を解析する(ブロック508)。UEによって解析されるデータ特性について、以下でより詳細に説明する。本開示の一態様では、UE502は、無線リソース制御(RRC)構成パラメータを使用して、そのデータ通信機能を報告し得る。ネットワーク504がUE機能報告を受信すると、ネットワーク504は、無線ベアラ(RB)またはネットワークグラントを構成するときに、報告されたUE機能を考慮し得る。
【００４４】
UEの拡張データ機能(たとえば、HSPA)が利用されると、データ(ULおよび/またはDLデータ)は、良好な無線条件およびネットワークからの十分なグラントを前提として、UE502とネットワーク504との間で迅速に転送され得る。しかしながら、拡張データ機能を利用することは、UEの様々なハードウェアブロックまたは回路の構成または構成解除につながる可能性がある。たとえば、UEは、より高度な干渉消去機能および等化機能により、1つまたは複数のダイバーシティ受信機を有効化/無効化し得る。一例では、ハードウェアブロックまたは回路は、高速共有制御チャネル(HS-SCCH)および物理ダウンリンク共有制御チャネル(PDSCH)を復号するためのHSDPA固有の回路と、トランスポートブロックを符号化するためのEUL固有の回路と、DLデータおよびULデータにおけるハイブリッド自動再送要求(HARQ)レベルバッファ管理を含む動作および関連するメモリ使用量とに関係し得る。いくつかの例では、ハードウェアブロックまたは回路は、データムーバおよび関連するバス帯域幅に関係し得る。加えて、システムレベルにおけるより高いクロック速度は、拡張データ機能をサポートするために使用され得る。
【００４５】
さらなる例では、UE502がHSDPA/EULプロトコルを利用するように構成されるとき、HSDPA/EULチャネル(通信チャネル)の構成は、物理レイヤCPHYプリミティブ処理手順、MACレイヤCMACプリミティブ処理手順およびRLCレイヤCRLCプリミティブ処理手順ならびにチャネル構成が正しい順序であることを保証するためのソフトウェア/ファームウェア(SW/FW)相互作用の点で、かなりの時間を要する。また、HSDPA/EULチャネルの構成解除は、チャネルのティアダウンおよびUMTSリリース99モードにおける元のFACH/アイドル状態への遷移の点で、ある程度の時間を要する。したがって、UE502がUL方向に送信するべき少量のデータ(たとえば、約500バイトまたはそれ以下)を有する場合、少量のデータを送信するために拡張(たとえば、HSPAまたはEUL)チャネルを構成し割り振ることはエネルギー効率的ではない可能性がある。少量のデータを送るために使用されるデータブロックの数および送信時間間隔(TTI)の数、上記で説明した構成/構成解除オーバーヘッド(たとえば、HSPAとUMTSリリース99との間の切替え)ならびにより高いクロックレートとともに利用されるシステムレベルHW/SW/FWを考慮すると、転送されるデータの量を考慮したエネルギー効率の点で、拡張データ機能を使用することは望ましくない可能性がある。
【００４６】
場合によっては、UEがネットワークとの十分に大量のデータトラフィックを有するときに、UEの拡張データ機能を利用することがより有益である。たとえば、大規模なファイル転送またはビデオアップロード/ダウンロードなど、データの量はULおよび/またはDL方向において複数のTTIにわたって広がり得る。UEにおける拡張データ機能のそのような戦略的使用は、より高いデータスループットにおける利得と上記で説明した追加の構成/構成解除オーバーヘッドのバランスをとることができる。特定のタイプのUE(たとえば、マシンツーマシンタイプ)の場合、データアクティビティならびにQoS要件を考慮すると、UEのエネルギー効率はデータ遅延よりも重要であり得る。これらのタイプのUEでは、拡張機能を利用するデータ送信は、望ましくなく高いエネルギー消費につながる可能性がある。
【００４７】
図5に戻って参照すると、UE502は、転送されたまたは転送されるべきデータの特性に基づいて、拡張データ機能を用いて第2の通信プロトコルにおいて通信するその機能を動的に報告する(ブロック510)。さらに、UEは、第2の通信プロトコルにおいてデータを転送するように、その対応するハードウェアまたは回路を構成する(ブロック512)。加えて、UEは、第1の通信プロトコルにおいてデータを転送するのにもはや必要とされない回路を構成解除または再構成し得る。次いで、UEは、第2の通信チャネル(たとえば、HSデータチャネル)において第2の通信プロトコルを利用してデータを転送し得る(ブロック514)。本開示の一態様では、エネルギー効率が所望のエネルギー効率しきい値(たとえば、所定のしきい値)以上である場合、UEは第2の通信プロトコルにおいて通信するその機能を報告し得、そうでなければ、エネルギー効率が所望のエネルギー効率しきい値未満である場合、UEは第1の通信プロトコルにおいて通信するその機能を報告し得る。
【００４８】
本開示の別の態様では、UEが第2の通信プロトコルを利用してデータを転送しているとき、UEはデータ特性を解析し続けて、データ特性および/または通信プロトコルのうちのいずれか1つにおいてデータを転送するそのエネルギー効率を考慮して、第1の通信プロトコルに切り戻すのに適したときはいつかを判断する。たとえば、UEがごく少量のULおよび/またはDLデータトラフィックを予想したとき、UEは第1の通信プロトコルを利用することに戻ることができる。
【００４９】
図6は、本開示の態様による、データ特性に基づいてデータ通信機能を動的に報告する、UEにおいて動作可能な手順600を概念的に示すフローチャートである。データ特性は、データのアクティビティ、重要性、および/またはタイプを含み得る。本開示の一態様では、手順600は、UMTS規格をサポートするUE502によって実行され得る。UMTSリリース99規格では、UEの2つの基本動作モードはアイドルモードおよび接続モードである。UEの電源が投入された後、UEはアイドルモードになり、たとえば、RAN200に接続するために、パブリックランドモバイルネットワーク(PLMN)を選択する。UEは選ばれたPLMNの適切なセルを探索し、利用可能なサービスを提供するためにそのセルを選び、その制御チャネルに同調する。このプロセスは「セルにキャンプオンする」として一般に知られている。
【００５０】
図6を参照すると、ブロック602において、UEはUMTSリリース99プロトコルおよび拡張データアクセスプロトコル(たとえば、HSDPA、EUL、HSPA、HSPA+、LTEなど)をサポートするセルにキャンプオンする。セルにキャンプオンした後、UEは最初に、UMTSリリース99であるものとしてのその機能、またはその最良の機能ではない任意の他の機能を報告し得る(ブロック604)。ここで、UEは、ネットワークとのデータを転送するための順方向アクセスチャネル(FACH)モードにとどまり得る(たとえば、ブロック506参照)。UMTSリリース99モードでデータを転送している間、UEはデータ特性(たとえば、DLデータおよび/またはULデータ)を解析し、その拡張データ機能を用いて通信するようにUEを構成するための構成オーバーヘッドを考慮する(ブロック606)。データ特性が以下で詳細に説明する特定の条件を満たすとき、UEはその拡張データ機能(たとえば、HSPA、HSPA+、またはLTE)をネットワークに報告し得(ブロック608)、そうでなければ、UEはそのUMTSリリース99機能を報告し続け得る(ブロック604)。たとえば、拡張通信プロトコルにおいてデータを転送するためのUEの構成および/または構成解除オーバーヘッドを考慮して、UEは、RRC構成パラメータをネットワークに送信することによって、エネルギー効率とデータスループットの所望のバランスを達成するための適切な機能を報告し得る。RRC構成パラメータのさらなる詳細は、参照により本明細書に組み込まれる3GPP技術仕様書25.331に見出され得る。
【００５１】
図7は、本開示の態様による、データ特性を解析して、UEデータ通信機能を動的に報告するための手順700を示す概念図である。この手順700は、図5のブロック508および図6のブロック606においてUE502によって実行され得る。限定ではなく例として、UEは最初に、その機能をUMTSリリース99であるものとして報告すると想定される。第1のシナリオでは、UEが送信するための十分に大量のULデータ(たとえば、しきい値を上回るまたは所定の量のデータビット(たとえば、500ビット))を有する場合(ブロック702)、UEはその拡張データ機能を報告し得(ブロック704)、そうでなければ、UEはUMTSリリース99機能を報告する(ブロック706)。別のシナリオでは、UEが所定の時間期間Tに十分に大量のDLデータ(たとえば、Tミリ秒でYビットのデータ)を受信した場合(ブロック708)、UEはその拡張データ機能を報告し、そうでなければ、UEはUMTSリリース99機能を報告する。別のシナリオでは、UEが特定のまたは所定の優先度でデータ(たとえば、高優先度データ)を送信しているかまたは受信しているかのいずれかである場合(ブロック710)、UEはその拡張データ機能を報告し、そうでなければ、UEはUMTSリリース99機能を報告する。別のシナリオでは、UEが特定のまたは所定のタイプのデータを送信しているかまたは受信しているかのいずれかである場合(ブロック712)、UEはその拡張データ機能を報告し得、そうでなければ、UEはUMTSリリース99機能を報告する。一例では、データのタイプは厳しいQoS要件を有し得るか、または時間制約型である。本開示の別の態様では、ステップ702、708、710および712における条件のうちの1つまたは複数が満たされると、UEは、転送されるデータ量に対するエネルギー効率を改善するために構成オーバーヘッドを考慮して、その拡張データ機能を動的に報告し得る。
【００５２】
本開示の様々な態様では、可能であるときはいつでもUEが所望のエネルギー効率で動作しているように、UEはそのデータ通信機能を動的に報告する。すなわち、UEは、図5〜図7および上記の対応する説明で例示されるようなそのデータ機能を動的に報告することによって、転送されるデータの量に対するそのエネルギー消費を最適化するか、または最小限に抑えることができる。いくつかの適用例では、この種類の動的なデータ機能報告は、モバイルツーモバイルデバイスが重要でないデータを転送するように設計されているときに、これらのデバイスがエネルギー消費を低減するのを助けることができる。
【００５３】
図8は、処理システム814を採用する装置800のハードウェア実装形態の一例を示す概念図である。本開示の様々な態様によれば、要素または要素の任意の一部分または要素の任意の組合せは、1つまたは複数のプロセッサ804を含む処理システム814を用いて実装され得る。たとえば、装置800は、図1、図2、図4、および/または図5のうちのいずれか1つまたは複数に示すようなユーザ機器(UE)であってもよい。別の例では、装置800は、図1、図2、図4、および/または図5のうちのいずれか1つまたは複数に示すような無線ネットワークコントローラ(RNC)またはノードBであってもよい。プロセッサ804の例には、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能を実行するように構成された他の適切なハードウェアが含まれる。すなわち、装置800内で利用される場合のプロセッサ804は、本明細書全体にわたって説明し図5〜図7および図10に示すプロセスのうちのいずれか1つまたは複数を実施するために使用され得る。
【００５４】
この例では、処理システム814は、バス802によって概略的に表されるバスアーキテクチャを用いて実装され得る。バス802は、処理システム814の特定の適用例および全体的な設計制約に応じて、任意の数の相互接続するバスおよびブリッジを含み得る。バス802は、(プロセッサ804によって概略的に表される)1つまたは複数のプロセッサ、メモリ805、および(コンピュータ可読記憶媒体806によって概略的に表される)コンピュータ可読記憶媒体を含む、様々な回路を互いにリンクする。バス802は、タイミングソース、周辺装置、電圧調整器、および電力管理回路などの様々な他の回路をリンクすることもできるが、これらの回路は当技術分野でよく知られており、したがってこれ以上は説明しない。バスインターフェース808は、バス802とトランシーバ810との間のインターフェースを与える。トランシーバ810は、伝送媒体上の様々な他の装置と通信するための手段を提供する。装置の性質に応じて、ユーザインターフェース812(たとえば、キーパッド、ディスプレイ、スピーカー、マイクロフォン、ジョイスティック、タッチパッド、タッチスクリーン)も設けられ得る。
【００５５】
プロセッサ804は、たとえば、本明細書全体にわたって説明し図5〜図7に示すプロセスを実施する様々な機能を実行するように構成され得る、いくつかの回路を含み得る。加えて、コンピュータ可読記憶媒体806は、プロセッサ804によって実行されると、本明細書全体にわたって説明し図5〜図7に示すプロセスを実行するプロセッサ804の様々な回路を構成することができる、いくつかのプログラムルーチンを含み得る。プロセッサ804およびコンピュータ可読記憶媒体806上に記憶されるルーチンについて、以下でより詳細に説明する。
【００５６】
プロセッサ804は、バス802の管理、およびコンピュータ可読記憶媒体806上に記憶されたソフトウェアの実行を含む全般的な処理を担う。ソフトウェアは、プロセッサ804によって実行されると、任意の特定の装置について以下で説明する様々な機能を処理システム814に実行させる。コンピュータ可読記憶媒体806は、ソフトウェアを実行するときにプロセッサ804によって操作されるデータを記憶するために使用される場合もある。
【００５７】
処理システム内の1つまたは複数のプロセッサ804は、ソフトウェアを実行することができる。ソフトウェアは、ソフトウェア、ファームウェア、ミドルウェア、マイクロコード、ハードウェア記述言語と呼ばれるか、他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味すると広く解釈されたい。ソフトウェアはコンピュータ可読記憶媒体806上に常駐し得る。コンピュータ可読記憶媒体806は、非一時的コンピュータ可読記憶媒体であり得る。非一時的コンピュータ可読記憶媒体は、例として、磁気記憶デバイス(たとえば、ハードディスク、フロッピー(登録商標)ディスク、磁気ストリップ)、光ディスク(たとえば、コンパクトディスク(CD)またはデジタル多用途ディスク(DVD))、スマートカード、フラッシュメモリデバイス(たとえば、カード、スティック、またはキードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、ならびにコンピュータがアクセスし、読み取ることができるソフトウェアおよび/または命令を記憶するための任意の他の適切な媒体を含む。コンピュータ可読記憶媒体は、例として、搬送波、伝送路、ならびに、コンピュータによってアクセスされ読み取られ得るソフトウェアおよび/または命令を送信するための任意の他の適切な媒体も含み得る。コンピュータ可読記憶媒体806は、処理システム814の中に常駐してもよく、処理システム814の外に常駐してもよく、または処理システム814を含む複数のエンティティにわたって分散してもよい。コンピュータ可読記憶媒体806は、コンピュータプログラム製品において具現化され得る。例として、コンピュータプログラム製品は、パッケージング材料内のコンピュータ可読記憶媒体を含むことができる。当業者は、特定の適用例およびシステム全体に課される全体的な設計制約に応じて、本開示全体にわたって提示される説明した機能を最善の形で実装する方法を認識されよう。
【００５８】
図9は、本開示の態様による、UEデータ通信機能を動的に報告するためのプロセッサ900およびコンピュータ可読記憶媒体920を示す概念図である。プロセッサ900はプロセッサ804であってもよく、コンピュータ可読記憶媒体920はコンピュータ可読記憶媒体806であってもよい。プロセッサ900は、ある量のULデータを処理するための第1の回路902と、ある量のDLデータを処理するための第2の回路904と、データの優先度を処理するための第3の回路906と、データのタイプおよびQoS要件を処理するための第4の回路908と、UEデータ通信機能を動的に報告するための第5の回路910と、エネルギー効率および構成オーバーヘッドを考慮するための第6の回路912とを含む。これらの回路について、以下でより詳細に説明する。
【００５９】
コンピュータ可読記憶媒体920は、プロセッサ900によって実行され得るいくつかのソフトウェアルーチンを含む。一例では、プロセッサ900は、送信されたまたは送信されることになるある量のULデータを処理するための第1の回路902を構成する第1のルーチン922を実行し得る。別の例では、プロセッサ900は、UEによって受信されたある量のDLデータを処理するための第2の回路904を構成する第2のルーチン924を実行し得る。別の例では、プロセッサ900は、UEによって転送されたデータの優先度を処理するための第3の回路906を構成する第3のルーチン926を実行し得る。別の例では、プロセッサ900は、データのタイプおよびUEによって転送されたまたは転送されることになるデータのQoS要件を処理するための第4の回路908を構成する第4のルーチン928を実行し得る。別の例では、プロセッサ900は、第1から第4の回路(902、904、906、および908)のうちの1つまたは複数によって処理されるUL/DLデータの量、優先度、データのタイプおよび/またはQoS要件などのデータの特性に基づいて、UEデータ機能を動的に報告するための第5の回路910を構成する第5のルーチン930を実行し得る。別の例では、プロセッサ900は、どのUEデータ通信機能(たとえば、UMTSリリース99または拡張機能)をネットワークに報告するかを判断するためにUEのエネルギー効率および構成オーバーヘッドを考慮するための第6の回路912を構成する第6のルーチン932を実行し得る。
【００６０】
本開示の一態様では、ルーチン922、924、926、および928は、図6のブロック606に示すプロセスのいくつかまたはすべてを実行するために実行され得る。本開示の一態様では、ルーチン930および932は、図6のブロック606および608に示すプロセスのいくつかまたはすべてを実行するために実行され得る。
【００６１】
W-CDMAシステムに関して電気通信システムのいくつかの態様を提示した。当業者なら容易に諒解するように、本開示全体にわたって説明される様々な態様は、他の電気通信システム、ネットワークアーキテクチャおよび通信規格に拡張され得る。
【００６２】
例として、様々な態様は、TD-SCDMAおよびTD-CDMAなどの他のUMTSシステムに拡張され得る。様々な態様はまた、(FDDモード、TDDモード、またはその両方のモードでの)ロングタームエボリューション(LTE)、(FDDモード、TDDモード、またはその両方のモードでの)LTEアドバンスト(LTE-A)、CDMA2000、エボリューションデータオプティマイズド(EV-DO)、ウルトラモバイルブロードバンド(UMB)、IEEE802.11(Wi-Fi)、IEEE802.16(WiMAX)、IEEE802.20、ウルトラワイドバンド(UWB)、Bluetooth(登録商標)、および/または他の適切なシステムを採用するシステムに拡張され得る。採用される実際の電気通信規格、ネットワークアーキテクチャ、および/または通信規格は、特定の適用例およびシステムに課される全体的な設計制約に依存することになる。
【００６３】
図10は、本開示の一態様による、ワイヤレス通信システムにおいてUEデータ通信機能を動的に報告する方法1000を示すフローチャートである。方法1000は、UE502によって実行され得る。UEは、第1の通信プロトコルと第2の通信プロトコルとを含む複数の通信プロトコルを利用してネットワーク504と通信するように構成される。UEは最初に、第2の通信プロトコルの達成可能な最大スループットよりも低い達成可能な最大スループットを有する第1の通信プロトコルを利用してネットワークと通信し得る(ブロック1002)。たとえば、UEは最初に、UMTSリリース99プロトコルを利用してネットワークとのデータを転送し得る(たとえば、図5のブロック506を参照)。加えて、UEは、第1の通信プロトコルまたは第2の通信プロトコルを利用してある量のデータを転送するエネルギー効率を考慮して、第2の通信プロトコルを利用してデータを転送するUEの機能を動的に報告する(ブロック1004)。たとえば、UEはデータ特性(たとえば、図5のブロック508)および構成オーバーヘッド(たとえば、図6のブロック606)を解析し、UMTSリリース99または拡張機能を利用してある量のデータを転送するエネルギー効率を考慮して、拡張プロトコルにおいてデータを転送するUEの機能を動的に報告する(たとえば、図5のメッセージ510)。
【００６４】
開示した方法におけるステップの特定の順序または階層は例示的なプロセスの一例であることを理解されたい。設計上の選好に基づいて、方法におけるステップの特定の順序または階層は再構成可能であることを理解されたい。添付の方法クレームは、様々なステップの要素を例示的な順序で提示したものであり、方法クレーム内で特に記載されていない限り、提示した特定の順序または階層に限定されるものではない。
【００６５】
前述の説明は、本明細書で説明する様々な態様を、いかなる当業者も実施することを可能にするために提供される。これらの態様への様々な修正が当業者には容易に明らかとなり、本明細書で定義する一般的な原理は他の態様に適用され得る。したがって、特許請求の範囲は本明細書で示す態様に限定されるものではなく、特許請求の範囲の文言と一致する全範囲を許容するものであり、単数の要素への言及は、そのように明記されていない限り、「唯一無二の」ではなく、「1つまたは複数の」を意味するものである。別段に明記されていない限り、「いくつかの」という用語は「1つまたは複数の」を指す。項目のリスト「のうちの少なくとも1つ」という語句は、単一のメンバーを含め、それらの項目の任意の組合せを指す。一例として、「a、bまたはcのうちの少なくとも1つ」は、「a」、「b」、「c」、「aおよびb」、「aおよびc」、「bおよびc」、および「a、bおよびc」を含むものとする。当業者が知っているか、または後に知ることになる、本開示全体にわたって説明される様々な態様の要素のすべての構造的等価物および機能的等価物は、参照により本明細書に明確に組み込まれ、特許請求の範囲によって包含されるものとする。さらに、本明細書で開示する内容は、そのような開示が特許請求の範囲で明示的に記載されているかどうかにかかわらず、公に供されるものではない。請求項のいかなる要素も、要素が「のための手段」という語句を使用して明示的に記載されない限り、または方法クレームの場合には、要素が「のためのステップ」という語句を使用して記載されない限り、米国特許法第112条第6項の規定に基づき解釈されるべきではない。
【符号の説明】
【００６６】
100  Universal Mobile Telecommunications System(UMTS)システム、装置
102  UMTS地上波無線アクセスネットワーク(UTRAN)、UTRAN
104  コアネットワーク
106  無線ネットワークコントローラ(RNC)、RNC
107  無線ネットワークサブシステム(RNS)、RNS
108  ノードB
110  ユーザ機器(UE)、UE
111  ユニバーサル加入者識別モジュール(USIM)
112  MSC
114  GMSC
115  ホームロケーションレジスタ(HLR)、HLR
116  回線交換ネットワーク
118  サービングGPRSサポートノード(SGSN)、SGSN
120  ゲートウェイGPRSサポートノード(GGSN)、GGSN
122  パケットベースネットワーク
200  RAN
202  セル
204、204a、204b  セル
206  セル
212  アンテナグループ
214  アンテナグループ
216  アンテナグループ
218  アンテナグループ
220  アンテナグループ
222  アンテナグループ
224  アンテナグループ
226  アンテナグループ
228  アンテナグループ
230  UE
232  UE
234  UE
236  UE
238  UE
240  UE
242  ノードB
244  ノードB
246  ノードB
306  物理レイヤ
308  レイヤ2、L2レイヤ
310  媒体アクセス制御(MAC)サブレイヤ、MACサブレイヤ
312  無線リンク制御(RLC)サブレイヤ、RLCサブレイヤ
314  パケットデータコンバージェンスプロトコル(PDCP)サブレイヤ、PDCPサブレイヤ
316  RRCレイヤ
410  ノードB
412  データソース
420  送信プロセッサ
430  送信フレームプロセッサ
432  送信機
434  アンテナ
435  受信機
436  受信フレームプロセッサ
438  受信プロセッサ
439  データシンク
440  コントローラ/プロセッサ
442  メモリ
444  チャネルプロセッサ
446  スケジューラ/プロセッサ
450  UE
452  アンテナ
454  受信機
456  送信機
460  受信フレームプロセッサ
470  受信プロセッサ
472  データシンク
478  データソース
480  送信プロセッサ
482  送信フレームプロセッサ
490  コントローラ/プロセッサ
492  メモリ
494  チャネルプロセッサ
502  UE
504  ネットワーク
600  手順
700  手順
800  装置
802  バス
804  プロセッサ
805  メモリ
806  コンピュータ可読記憶媒体
808  バスインターフェース
810  トランシーバ
812  ユーザインターフェース
814  処理システム
900  プロセッサ
902  第1の回路
904  第2の回路
906  第3の回路
908  第4の回路
910  第5の回路
912  第6の回路
920  コンピュータ可読記憶媒体
922  第1のルーチン
924  第2のルーチン
926  第3のルーチン
928  第4のルーチン
930  第5のルーチン
932  第6のルーチン
1000  方法
【図１】
2016525300.tif 000003
【図２】
2016525300.tif 000004
【図３】
2016525300.tif 000005
【図４】
2016525300.tif 000006
【図５】
2016525300.tif 000007
【図６】
2016525300.tif 000008
【図７】
2016525300.tif 000009
【図８】
2016525300.tif 000010
【図９】
2016525300.tif 000011
【図１０】
2016525300.tif 000012
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
ユーザ機器(UE)において動作可能なワイヤレス通信の方法であって、
セルにキャンプオンし、第2の通信プロトコルの達成可能な最大スループットよりも低い達成可能な最大スループットを有する第1の通信プロトコルを利用してネットワークと通信する前記UEの機能を最初に報告するステップと、
前記第1の通信プロトコルまたは前記第2の通信プロトコルを利用してある量のデータを転送するエネルギー効率を考慮して、前記第1の通信プロトコルまたは前記第2の通信プロトコルを利用してデータを転送する前記UEの前記機能を動的に報告するステップと
を含む方法。
【請求項２】
前記UEの前記機能を動的に報告するステップが、
前記エネルギー効率が所定のしきい値以上である場合、前記第2の通信プロトコルにおいてデータを転送する前記UEの前記機能を報告するステップと、
前記エネルギー効率が前記所定のしきい値未満である場合、前記第1の通信プロトコルにおいてデータを転送する前記UEの前記機能を報告するステップと
を含む、請求項1に記載の方法。
【請求項３】
前記UEの前記機能を動的に報告するステップが、前記第1の通信プロトコルまたは前記第2の通信プロトコルにおいてデータを転送するように前記UEを構成するための構成オーバーヘッドを考慮するステップを含む、請求項1に記載の方法。
【請求項４】
前記構成オーバーヘッドが、
前記第1の通信プロトコルまたは前記第2の通信プロトコルにおいてデータを転送するための前記UEの回路を構成するステップ
を含む、請求項3に記載の方法。
【請求項５】
前記構成オーバーヘッドが、
前記第1の通信プロトコルまたは前記第2の通信プロトコルにおいてデータを転送するための1つまたは複数の通信チャネルを構成または構成解除するステップ
を含む、請求項3に記載の方法。
【請求項６】
前記UEの前記機能を動的に報告するステップが、アップリンクデータまたはダウンリンクデータの1つまたは複数の特性を解析するステップを含む、請求項1に記載の方法。
【請求項７】
前記データの前記1つまたは複数の特性が、所定の時間期間におけるある量の前記アップリンクデータまたは前記ダウンリンクデータを含む、請求項6に記載の方法。
【請求項８】
前記データの前記1つまたは複数の特性が、前記アップリンクデータまたは前記ダウンリンクデータの優先度を含む、請求項6に記載の方法。
【請求項９】
前記データの前記1つまたは複数の特性が、前記アップリンクデータまたは前記ダウンリンクデータのデータタイプまたはサービス品質要件を含む、請求項6に記載の方法。
【請求項１０】
前記第1の通信プロトコルがUMTSリリース99プロトコルを含み、前記第2の通信プロトコルがHSDPA、HSUPA、HSPA、HSPA+、EUL、またはLTEプロトコルのうちの少なくとも1つを含む、請求項1に記載の方法。
【請求項１１】
ワイヤレス通信のための装置であって、
セルにキャンプオンし、第2の通信プロトコルの達成可能な最大スループットよりも低い達成可能な最大スループットを有する第1の通信プロトコルを利用してネットワークと通信する前記装置の機能を最初に報告するための手段と、
前記第1の通信プロトコルまたは前記第2の通信プロトコルを利用してある量のデータを転送するエネルギー効率を考慮して、前記第1の通信プロトコルまたは前記第2の通信プロトコルを利用してデータを転送する前記装置の前記機能を動的に報告するための手段と
を備える装置。
【請求項１２】
前記装置の前記機能を前記動的に報告するための手段が、
前記エネルギー効率が所定のしきい値以上である場合、前記第2の通信プロトコルにおいてデータを転送する前記装置の前記機能を報告し、
前記エネルギー効率が前記所定のしきい値未満である場合、前記第1の通信プロトコルにおいてデータを転送する前記装置の前記機能を報告する
ように構成される、請求項11に記載の装置。
【請求項１３】
前記装置の前記機能を前記動的に報告するための手段が、前記第1の通信プロトコルまたは前記第2の通信プロトコルにおいてデータを転送するように前記装置を構成するための構成オーバーヘッドを考慮するように構成される、請求項11に記載の装置。
【請求項１４】
前記構成オーバーヘッドが、
前記第1の通信プロトコルまたは前記第2の通信プロトコルにおいてデータを転送する前記装置の回路を構成するステップ
を含む、請求項13に記載の装置。
【請求項１５】
前記構成オーバーヘッドが、
前記第1の通信プロトコルまたは前記第2の通信プロトコルにおいてデータを転送するための1つまたは複数の通信チャネルを構成または構成解除するステップ
を含む、請求項13に記載の装置。
【請求項１６】
前記装置の前記機能を前記動的に報告するための手段が、アップリンクデータまたはダウンリンクデータの1つまたは複数の特性を解析するように構成される、請求項11に記載の装置。
【請求項１７】
前記データの前記1つまたは複数の特性が、所定の時間期間におけるある量の前記アップリンクデータまたは前記ダウンリンクデータを含む、請求項16に記載の装置。
【請求項１８】
前記データの前記1つまたは複数の特性が、前記アップリンクデータまたは前記ダウンリンクデータの優先度を含む、請求項16に記載の装置。
【請求項１９】
前記データの前記1つまたは複数の特性が、前記アップリンクデータまたは前記ダウンリンクデータのデータタイプまたはサービス品質要件を含む、請求項16に記載の装置。
【請求項２０】
前記第1の通信プロトコルがUMTSリリース99プロトコルを含み、前記第2の通信プロトコルがHSDPA、HSUPA、HSPA、HSPA+、EUL、またはLTEプロトコルのうちの少なくとも1つを含む、請求項11に記載の装置。
【請求項２１】
コンピュータ可読記憶媒体であって、
ユーザ機器(UE)に、
セルにキャンプオンさせ、第2の通信プロトコルの達成可能な最大スループットよりも低い達成可能な最大スループットを有する第1の通信プロトコルを利用してネットワークと通信する前記UEの機能を最初に報告させ、
前記第1の通信プロトコルまたは前記第2の通信プロトコルを利用してある量のデータを転送するエネルギー効率を考慮して、前記第1の通信プロトコルまたは前記第2の通信プロトコルを利用してデータを転送する前記UEの前記機能を動的に報告させる
ためのコードを含む、コンピュータ可読記憶媒体。
【請求項２２】
前記UEの前記機能を動的に報告するために、前記コードがさらに前記UEに、
前記エネルギー効率が所定のしきい値以上である場合、前記第2の通信プロトコルにおいてデータを転送する前記UEの前記機能を報告させ、
前記エネルギー効率が前記所定のしきい値未満である場合、前記第1の通信プロトコルにおいてデータを転送する前記UEの前記機能を報告させる、
請求項21に記載のコンピュータ可読記憶媒体。
【請求項２３】
前記UEの前記機能を動的に報告するために、前記コードがさらに前記UEに、前記第1の通信プロトコルまたは前記第2の通信プロトコルにおいてデータを転送するように前記UEを構成するための構成オーバーヘッドを考慮させる、請求項21に記載のコンピュータ可読記憶媒体。
【請求項２４】
前記構成オーバーヘッドが、
前記第1の通信プロトコルまたは前記第2の通信プロトコルにおいてデータを転送するための前記UEの回路を構成するステップ
を含む、請求項23に記載のコンピュータ可読記憶媒体。
【請求項２５】
前記構成オーバーヘッドが、
前記第1の通信プロトコルまたは前記第2の通信プロトコルにおいてデータを転送するための1つまたは複数の通信チャネルを構成または構成解除するステップ
を含む、請求項23に記載のコンピュータ可読記憶媒体。
【請求項２６】
前記UEの前記機能を動的に報告するために、前記コードがさらに前記UEに、アップリンクデータまたはダウンリンクデータの1つまたは複数の特性を解析させる、請求項21に記載のコンピュータ可読記憶媒体。
【請求項２７】
前記データの前記1つまたは複数の特性が、所定の時間期間におけるある量の前記アップリンクデータまたは前記ダウンリンクデータを含む、請求項26に記載のコンピュータ可読記憶媒体。
【請求項２８】
前記データの前記1つまたは複数の特性が、前記アップリンクデータまたは前記ダウンリンクデータの優先度を含む、請求項26に記載のコンピュータ可読記憶媒体。
【請求項２９】
前記データの前記1つまたは複数の特性が、前記アップリンクデータまたは前記ダウンリンクデータのデータタイプまたはサービス品質要件を含む、請求項26に記載のコンピュータ可読記憶媒体。
【請求項３０】
前記第1の通信プロトコルがUMTSリリース99プロトコルを含み、前記第2の通信プロトコルがHSDPA、HSUPA、HSPA、HSPA+、EUL、またはLTEプロトコルのうちの少なくとも1つを含む、請求項21に記載のコンピュータ可読記憶媒体。
【請求項３１】
ワイヤレス通信のための装置であって、
少なくとも1つのプロセッサと、
前記少なくとも1つのプロセッサに結合された通信インターフェースと、
前記少なくとも1つのプロセッサに結合されたメモリとを備え、
前記少なくとも1つのプロセッサが、
セルにキャンプオンし、第2の通信プロトコルの達成可能な最大スループットよりも低い達成可能な最大スループットを有する第1の通信プロトコルを利用してネットワークと通信する前記装置の機能を最初に報告するように構成された第1の回路と、
前記第1の通信プロトコルまたは前記第2の通信プロトコルを利用してある量のデータを転送するエネルギー効率を考慮して、前記第1の通信プロトコルまたは前記第2の通信プロトコルを利用してデータを転送する前記装置の前記機能を動的に報告するように構成された第2の回路と
を備える、装置。
【請求項３２】
前記第2の回路が、
前記エネルギー効率が所定のしきい値以上である場合、前記第2の通信プロトコルにおいてデータを転送する前記装置の前記機能を報告し、
前記エネルギー効率が前記所定のしきい値未満である場合、前記第1の通信プロトコルにおいてデータを転送する前記装置の前記機能を報告する
ようにさらに構成される、請求項31に記載の装置。
【請求項３３】
前記第2の回路が、前記第1の通信プロトコルまたは前記第2の通信プロトコルにおいてデータを転送するように前記装置を構成するための構成オーバーヘッドを考慮するようにさらに構成される、請求項31に記載の装置。
【請求項３４】
前記構成オーバーヘッドが、
前記第1の通信プロトコルまたは前記第2の通信プロトコルにおいてデータを転送する前記装置の回路を構成するステップ
を含む、請求項33に記載の装置。
【請求項３５】
前記構成オーバーヘッドが、
前記第1の通信プロトコルまたは前記第2の通信プロトコルにおいてデータを転送するための1つまたは複数の通信チャネルを構成または構成解除するステップ
を含む、請求項33に記載の装置。
【請求項３６】
前記装置の前記機能を動的に報告するために、前記第2の回路が、アップリンクデータまたはダウンリンクデータの1つまたは複数の特性を解析するようにさらに構成される、請求項31に記載の装置。
【請求項３７】
前記データの前記1つまたは複数の特性が、所定の時間期間におけるある量の前記アップリンクデータまたは前記ダウンリンクデータを含む、請求項36に記載の装置。
【請求項３８】
前記データの前記1つまたは複数の特性が、前記アップリンクデータまたは前記ダウンリンクデータの優先度を含む、請求項36に記載の装置。
【請求項３９】
前記データの前記1つまたは複数の特性が、前記アップリンクデータまたは前記ダウンリンクデータのデータタイプまたはサービス品質要件を含む、請求項36に記載の装置。
【請求項４０】
前記第1の通信プロトコルがUMTSリリース99プロトコルを含み、前記第2の通信プロトコルがHSDPA、HSUPA、HSPA、HSPA+、EUL、またはLTEプロトコルのうちの少なくとも1つを含む、請求項31に記載の装置。
【国際調査報告】
2016525300.tif 000013
2016525300.tif 000014
2016525300.tif 000015